(57)【要約】  【課題】  複数の長尺体を束ねる場合であっても、隙間なく強力に束ねることができる昆虫忌避又は殺虫用樹脂製品を提供する。  【解決手段】  昆虫忌避剤又は殺虫剤が含有された樹脂を帯状に成型し、長尺体に巻きつけることにより昆虫が対象物に進入するのを防止する昆虫忌避又は殺虫用樹脂製品であって、帯状に形成された複数の帯状片が結合されてなる帯状体と、該帯状片の長手方向の一方の端部に設けられた係止爪と、該帯状片に複数形成され、該係止爪を係止可能な孔と、を備えた昆虫忌避又は殺虫用樹脂製品により解決する。【選択図】    図１
2006238853.tif 000002
【特許請求の範囲】
【請求項１】
昆虫忌避剤又は殺虫剤が含有された樹脂を帯状に成型し、長尺体に巻きつけることにより昆虫が対象物に進入するのを防止する昆虫忌避又は殺虫用樹脂製品であって、
帯状に形成された複数の帯状片が結合されてなる帯状体と、
該帯状片の長手方向の一方の端部に設けられた係止爪と、
該帯状片に複数形成され、該係止爪を係止可能な孔と、
を備えた昆虫忌避又は殺虫用樹脂製品。
【請求項２】
前記帯状部は、各帯状片が部分的に分離可能に形成されてなる請求項１記載の昆虫忌避用忌避又は殺虫用樹脂製品。
【請求項３】
前記帯状体は、各帯状片との間にスリットを形成してなる請求項１又は２記載の昆虫忌避又は殺虫用樹脂製品。
【請求項４】
樹脂を帯状に成型し、長尺体に巻きつけることが可能な樹脂製品であって、
帯状に形成された複数の帯状片が部分的に分離可能に結合されてなる帯状体と、
該帯状片の長手方向の一方の端部に設けられた係止爪と、
該帯状片に複数形成され、該係止爪を係止可能な孔と、
を備えた樹脂製品。
【発明の詳細な説明】
【技術分野】
【０００１】
本発明は昆虫忌避又は殺虫用樹脂製品に関し、昆虫から保護すべき対象体に対して適用される樹脂製品に関する。なお、本発明において、「昆虫」とは、アリやゴキブリ等のほか、クモ、ムカデ等の節足動物並びにこれらに類する害虫等が該当する。
【背景技術】
【０００２】
自動販売機のような外部設置型の機器にアリやゴキブリ等の昆虫が侵入し問題となっている。これらの昆虫は、コード等を伝い、機器の間の隙間を通路として機器内へ侵入することが多い。
【０００３】
餌もないはずの外部設置型の機器に昆虫が集まってくる理由は明らかになっていない点も多い。しかしながら、信号機の制御装置等の内部は雨風の影響を受けず、冬でも一定の温度が保持されている。更に、外敵から身を守ることもできる。そのため、昆虫にとって快適で安全な環境であると考えられる。
【０００４】
樹木やケーブル等を伝って果実や機器内に進入する昆虫を防止するために、種々の防御策が講じられている。例えば、２枚のテープ状シート基材に防虫防除薬剤を所定間隔で挟持固定し、テープシートの片面に粘着性をもたせて樹木等の植物に装着可能としたもの（特許文献１）や、弾性変形可能な弾性シートと金属製の保護部材とを積層してなる帯状シートを構成し、ケーブル等に螺旋状に巻きつけるもの（特許文献２）などがある。
【特許文献１】特開平３−１０６３２平号公報
【特許文献２】特開２００３−１９９４７８公報
【発明の開示】
【発明が解決しようとする課題】
【０００５】
しかしながら、従来技術は、シート基材の一方の面に両面テープ等の粘着剤を用いたり、バンド等の固定具でシート基材を別途固定したりするなど、別の部材を必要としていた。かかる場合、粘着剤の粘着力が低下すると、樹木とシート基材との間に隙間が生じ、昆虫等の侵入を許容してしまったり、更に粘着力の低下が進行すると、樹木から脱落して防虫忌避部品として本来の機能を達成できなくなるという問題があった。バンド等の固定具を用いて巻きつける場合は、テープ状のシート基材を巻きつけた後、シート基材が落ちないように固定具で固定するため、装着する場所によっては取り付け作業を行う者の負担が大きくなるという問題があった。また、バンド等の固定具は、樹木等に巻きつけた後、余ったバンドの部分が外側にはみ出し、邪魔になることがあった。
【０００６】
一方、弾性変形可能な弾性シートをケーブル等に螺旋状に巻きつけることにより装着するものは上記の問題はやや改善されるが、複数のケーブルを束ねる場合、弾性シート自体さほど強い緊締力を有するものではない。そのため、他のケーブルとの間に隙間を生じ、その隙間を通って昆虫が進入してくる可能性があった。
【０００７】
従って、本発明は、複数の長尺体を束ねる場合であっても、隙間なく強力に束ねることができる昆虫忌避又は殺虫用樹脂製品を提供することにある。
【課題を解決するための手段】
【０００８】
本発明は、上記の課題を解決するため、昆虫忌避剤又は殺虫剤が含有された樹脂を帯状に成型し、長尺体に巻きつけることにより昆虫が対象物に進入するのを防止する昆虫忌避又は殺虫用樹脂製品であって、帯状に形成された複数の帯状片が結合されてなる帯状体と、該帯状片の長手方向の一方の端部に設けられた係止爪と、該帯状片に複数形成され、該係止爪を係止可能な孔と、を備えた昆虫忌避又は殺虫用樹脂製品を提供するものである。
【０００９】
このような構成により、長尺体に対し、隙間なく相当の緊締力を持って装着することができる。また、昆虫忌避又は殺虫用樹脂製品自体が係止爪と孔からなる固定部を備えているため、別部材で本体を固定するなどの煩雑な作業を要することなく、容易に長尺体に装着することができる。
【００１０】
上記発明の好ましい形態は以下の通りである。前記帯状部は、各帯状片が部分的に分離可能に形成されてなることが好ましい。これにより、一つの昆虫忌避又は殺虫用樹脂製品で複数の長尺体に装着することが可能となり、しかも、隙間を生じることなく装着することが可能となる。
【００１１】
前記帯状体は、各帯状片との間にスリットを形成してなることが好ましい。これにより、各帯状片を連結する連結部を切断するだけで各帯状片を部分的に分離することができる。
【発明の効果】
【００１２】
本発明は、帯状に形成された複数の帯状片が、部分的に分離可能に構成されてなるため、ケーブル等の長尺体を複数本束ねる場合であっても一本ずつ巻きつけることが可能となる。その結果、昆虫忌避剤又は殺虫剤を効果的に及ぼすことができ、ケーブル等の長尺体を伝って進入しようとする昆虫を効果的に防除することができる。
【発明を実施するための最良の形態】
【００１３】
次に、本発明の実施形態について、図面を参照しつつ更に詳細に説明する。図１〜図１０は、本実施形態に係る昆虫忌避又は殺虫用樹脂製品１をそれぞれ示したものである。図１は昆虫忌避又は殺虫用樹脂製品１の表面を示した斜視図であり、図２は昆虫忌避又は殺虫用樹脂製品１の裏面を示した斜視図である。
【００１４】
図３は、昆虫忌避又は殺虫用樹脂製品１の上面図であり、図４は、昆虫忌避又は殺虫用樹脂製品１の底面図であり、図５は、昆虫忌避又は殺虫用樹脂製品１の側面図であり、図６は、昆虫忌避又は殺虫用樹脂製品１の正面図である。
【００１５】
また、図７は、図３のＡ−Ａ断面図であり、図８は、図３のＢ−Ｂ断面図であり、図９は、図４のＣで囲んだ部分の部分拡大図であり、図１０は、図５のＤで囲んだ部分の部分拡大図である。
【００１６】
図１〜図５に示すように、昆虫忌避又は殺虫用樹脂製品１は、帯状に形成された２つの帯状片１０及び１２が結合部２８，３０及び３２を介して幅方向に結合されて帯状体１４を構成している。この帯状片１０及び１２には、それぞれ略長方形の孔１６が等間隔で複数個形成されている。孔１６の数に特に制限はないが、孔１６の数を多くするほど、昆虫忌避又は殺虫用樹脂製品１を長尺体に装着する際に、より細かく長尺体の直径に対応することが可能となり好ましい。
【００１７】
なお、本実施形態において、「長尺体」とは、例えば、電線、配管、厨房機器の脚部、搬送ワゴンの脚部、キャスターの上部等をいう。
【００１８】
図５に示すように、昆虫忌避又は殺虫用樹脂製品１は、側面から見ると、撓み変形可能な程度の厚みで形成されている。昆虫忌避又は殺虫用樹脂製品１の厚みは、長尺体に装着した際に破断しない程度の引張り強さを考慮して適宜設定される。
【００１９】
図６、図７及び図１０に示すように、帯状片１０及び１２の一方の端部には孔１６に挿入可能な係止爪１８が突設されている。図１０に示すように、係止爪１８には返し部１８ａが形成されている。この返し部１８ａは、図８に示す孔１６に係止爪１８を挿入した後、容易に係止爪１８が孔１６から外れないようにするためのものである。
【００２０】
また、図４、図９及び図１０に示すように、係止爪１８の近傍には、昆虫忌避又は殺虫用樹脂製品１を装着した状態から取り外しを容易にするための凸部が形成されている。
【００２１】
さらに、図２、図８及び図１０に示すように、昆虫忌避又は殺虫用樹脂製品１の裏面には、等間隔に突起が複数個形成され、その突起の間の空間に溝２２が形成されている。この溝２２によって、帯状体１４の湾曲を容易にするためのものである。
【００２２】
図１〜図４に示すように、昆虫忌避又は殺虫用樹脂製品１には、２つの帯状片１０及び１２との間に、２つのスリット２４及び２６が形成されている。このスリット２４及び２６は、本実施形態においては、係止爪１８及び凸部２０が形成されている側とは反対側の端部側に形成されている。
【００２３】
本実施形態に係る昆虫忌避又は殺虫用樹脂製品１は、このままの状態で使用することもできるが、結合部のうち、帯状片１０及び１２の端部に近い位置に形成された結合部２８及び３０は、ニッパ等で切断することができる。
【００２４】
図８に、結合部２８の断面を示した図３のＢ−Ｂ断面図を示す。図８に示すように、各帯状片１０及び１２を連結する結合部２８は、切断が可能となるように短い長さで形成されている。
【００２５】
次に、昆虫忌避剤又は殺虫剤について説明する。昆虫忌避剤又は殺虫剤としては、昆虫の除去活性を有する薬剤であり、昆虫忌避活性を有する化合物、殺傷昆虫活性を有する化合物、昆虫の摂食阻害活性、昆虫の成長コントロール活性を有する化合物等を挙げることができる。
【００２６】
具体的には、ピレスロイド系化合物、カーバメート系化合物、有機リン系化合物及びこれらの異性体、誘導体、類縁体その他昆虫の成長をコントロールする活性を有する化合物等を挙げることができる。
【００２７】
また、かかる昆虫忌避剤又は殺虫剤が含有される部品を構成する樹脂としては、ポリアセタール樹脂、ポリアミド樹脂の少なくとも１種の樹脂が選択される。図５に示すように、本実施形態に係る昆虫忌避又は殺虫用樹脂製品１は、薄く、略扁平形状に形成されているため、これらの樹脂を用いることにより、昆虫忌避又は殺虫用樹脂製品１に、長尺体を束ねる程度の強度を備えた可撓性を付与することができる。
【００２８】
さらに、この樹脂に対して昆虫忌避剤又は殺虫剤を溶解保持し、徐放性を付与する化合物を含めることがより好ましい。昆虫忌避剤又は殺虫剤を溶解保持し、徐放性を付与する化合物としては、例えば、スルホンアミド誘導体、スルホン酸エステル誘導体、カルボン酸アミド誘導体、カルボン酸エステル誘導体より選ばれる少なくとも１種の化合物を挙げることができる。
【００２９】
このように、徐放性を付与する化合物を樹脂に含有させることにより、樹脂製品から上記昆虫忌避剤又は殺虫剤を長期間にわたり放出することが可能となる。なお、本実施形態に係る昆虫忌避又は殺虫用樹脂製品１の昆虫の忌避又は殺虫効果は約１０年間持続させることが可能である。
【００３０】
以上の昆虫忌避又は殺虫用樹脂製品１の成形は、射出成形等の公知の成形方法により成形することができる。
【００３１】
次に、本実施形態に係る昆虫忌避又は殺虫用樹脂製品１の使用方法について説明する。図１１及び図１２は、昆虫忌避又は殺虫用樹脂製品１の使用方法を説明するための図である。図１１及び図１２においては、２本のコード１００及び１０２に本実施形態に係る昆虫忌避又は殺虫用樹脂製品１を装着する例を示している。
【００３２】
２本のコード１００及び１０２を束ねる場合は、図１に示す結合部２８を切断し、帯状片１０及び１２の一部を予め分離しておく。そして、図１１に示すように、昆虫忌避又は殺虫用樹脂製品１の裏面を用いて、先ず、帯状片１０の端部からコード１００に巻きつけていき、次に、帯状片１２の端部からコード１０２に巻きつけていく。結合部３０までコード１００及び１０２を別々に巻きつけた後は、コード１００及び１０２に帯状片１０及び１２を一緒に巻いていく。
【００３３】
帯状片１０及び１２でコード１００及び１０２を巻いた後、帯状体１４の端部に形成された係止爪１８を、最も近接する孔（例えば、図１２における１６ａ）に挿入する。これにより、係止爪１８が孔１６により係止され、簡易な手法ながら、相当の緊締力をもってコード１００及び１０２に昆虫忌避又は殺虫用樹脂製品１を装着することができる。
【００３４】
更に、帯状片１０及び１２の端部からコード１００及び１０２に巻きつけた後、係止爪１８を孔１６に係止するため、昆虫忌避又は殺虫用樹脂製品１を装着した後は、従来の固定バンドのように、余ったバンドが外側に突出する部分がない。即ち、従来の固定バンドが有する欠点を解消することができる。
【００３５】
なお、図１２の状態からコード１００及び１０２から昆虫忌避又は殺虫用樹脂製品１を取り外すときは、凸部２０をつまみ、孔１６ａから係止爪１８を引き抜くことにより係止状態が解除され、コード１００及び１０２から昆虫忌避又は殺虫用樹脂製品１を取り外すことができる。
【００３６】
なお、帯状片１０及び１２を分離する手段として、本実施形態においてはスリット２２及び２４を形成し、結合部２８又は３０を切断することにより行った例を示したが、これに限定されず、例えば、帯状片１０及び１２の間にミシン線等、簡便に切断することが可能な切り取り線を形成し、これを切断することにより帯状片１０及び１２の一部を分離することも可能である。
【００３７】
また、本実施形態においては、幅方向に２つの帯状片１０及び１２を結合した例を示したが、束ねる必要がある長尺体の数に応じて適宜増やすことも可能である。
【００３８】
また、別に昆虫忌避又は殺虫用樹脂製品を準備し、その帯状体に形成されている孔に昆虫忌避又は殺虫用樹脂製品１の係止爪１８を挿入し、昆虫忌避又は殺虫用樹脂製品同士を長さ方向に連結することができる。これにより、長尺体の径が単体の昆虫忌避又は殺虫用樹脂製品１の長さよりも長くなった場合でも対応することが可能となる。なお、昆虫忌避又は殺虫用樹脂製品１自身の長さを適宜設定することができるのはいうまでもない。
【００３９】
なお、これまでは昆虫忌避剤又は殺虫剤を含有した樹脂製品について説明したが、昆虫忌避材を含有していなくても、本発明に係る樹脂製品の形状の特性を利用して、複数の長尺体を束ねるための樹脂製品として利用することもできる。即ち、樹脂を帯状に成型し、長尺体に巻きつけることが可能な樹脂製品であって、帯状に形成された複数の帯状片が部分的に分離可能に結合されてなる帯状体と、該帯状片の長手方向の一方の端部に設けられた係止爪と、該帯状片に複数形成され、該係止爪を係止可能な孔と、を備えた樹脂製品により、複数の長尺体を相当の緊締力をもって束ねることができる。
【図面の簡単な説明】
【００４０】
【図１】本実施形態に係る昆虫忌避又は殺虫用樹脂製品１の表面を示した斜視図である。
【図２】昆虫忌避又は殺虫用樹脂製品１の裏面を示した斜視図である。
【図３】昆虫忌避又は殺虫用樹脂製品１の上面図である。
【図４】昆虫忌避又は殺虫用樹脂製品１の底面図である。
【図５】昆虫忌避又は殺虫用樹脂製品１の側面図である。
【図６】昆虫忌避又は殺虫用樹脂製品１の正面図である。
【図７】図３のＡ−Ａ断面図である。
【図８】図３のＢ−Ｂ断面図である。
【図９】図４のＣで囲んだ部分の部分拡大図である。
【図１０】図５のＤで囲んだ部分の部分拡大図である。
【図１１】２本のコード１００及び１０２に本実施形態に係る昆虫忌避又は殺虫用樹脂製品１を装着する例を示す図である。
【図１２】２本のコード１００及び１０２に本実施形態に係る昆虫忌避又は殺虫用樹脂製品１を装着する例を示す図である。
【符号の説明】
【００４１】
１  昆虫忌避又は殺虫用樹脂製品
１０及び１２  帯状片
１４  帯状体
１６  孔
１８  係止爪
２０  凸部
２２  溝
２４及び２６  スリット
２８，３０及び３２  結合部
【図１】
2006238853.tif 000003
【図２】
2006238853.tif 000004
【図３】
2006238853.tif 000005
【図４】
2006238853.tif 000006
【図５】
2006238853.tif 000007
【図６】
2006238853.tif 000008
【図７】
2006238853.tif 000009
【図８】
2006238853.tif 000010
【図９】
2006238853.tif 000011
【図１０】
2006238853.tif 000012
【図１１】
2006238853.tif 000013
【図１２】
2006238853.tif 000014